(57)【要約】【課題】      装置利用者間でやり取りされたメッセージ情報に基づいて装置利用者間の個別の関係を考慮した人間関係の強度を評価することができるメッセージ情報送受信装置等を提供する。【解決手段】  装置利用者の送信メッセージ情報を送信するメッセージ情報送信部１２０と装置利用者の受信メッセージ情報を受信するメッセージ情報受信部１２４とを備えるメッセージ情報送受信装置１０２ａであって、前記送信メッセージ情報及び前記受信メッセージ情報に設定されるポイントに関する情報を入力する設定情報入力処理部１１０と、前記送信メッセージ情報及び前記受信メッセージ情報に対して自動でポイントの値を設定する自動ポイント設定部と、前記設定されたポイントの値に代えて前記装置利用者１３０により指示されたポイントの値に設定する手動ポイント設定部と、前記ポイントの値を表示するポイント表示部とを備える。【選択図】  図１
0003122075.tif 000002
【実用新案登録請求の範囲】
【請求項１】
装置利用者の送信メッセージ情報を送信するメッセージ情報送信処理部と装置利用者の受信メッセージ情報を受信するメッセージ情報受信処理部とを備えるメッセージ情報送受信装置であって、
前記メッセージ情報送信処理部が送信した前記送信メッセージ情報及び前記メッセージ情報受信処理部が受信した前記受信メッセージ情報のそれぞれに設定されるポイントに関するポイント設定情報を入力する設定情報入力処理部と、
前記設定情報入力処理部により入力されたポイント設定情報に基づいて前記送信メッセージ情報及び前記受信メッセージ情報のそれぞれに対して送信及び受信毎に自動でポイントの値を設定する自動ポイント設定部と、
前記自動ポイント設定部が設定するポイントの値に代えて前記装置利用者により指示されたポイントの値に設定する手動ポイント設定部と、
前記自動ポイント設定部が設定したポイントの値又は前記手動ポイント設定部が設定したポイントの値を表示するポイント表示部とを備えた、メッセージ情報送受信装置。
【請求項２】
前記自動ポイント設定部又は前記手動ポイント設定部が設定した前記送信メッセージ情報及び前記受信メッセージ情報のそれぞれのポイントの値を集計する集計部と、
前記送信メッセージ情報及び前記受信メッセージ情報のそれぞれから抽出される所定情報に基づいて前記集計部が集計したポイントの値を再計算する再計算処理部と、
前記集計部が集計したポイントの値及び前記再計算処理部が再計算したポイントの値を表示する集計ポイント表示部とを備えた、請求項１記載のメッセージ情報送受信装置。
【請求項３】
前記装置利用者が入力した条件に基づいて前記条件を満たす前記送信メッセージ情報若しくは前記受信メッセージ情報、又は、前記送信メッセージ情報及び前記受信メッセージ情報を送受信した前記各装置利用者を特定する情報を検索する検索部と、
前記検索部が検索するための前記装置利用者が入力した条件の一つの情報であって前記送信メッセージ情報及び前記受信メッセージ情報のそれぞれに付加される付加情報を設定する付加情報設定部とを備えた、請求項１又は２記載のメッセージ情報送受信装置。
【請求項４】
装置利用者の送信メッセージ情報を送信するメッセージ情報送信処理部又は装置利用者の受信メッセージ情報を受信するメッセージ情報受信処理部を備えるメッセージ情報通信装置であって、
前記メッセージ情報送信処理部が送信した前記送信メッセージ情報又は前記メッセージ情報受信処理部が受信した前記受信メッセージ情報に設定されるポイントに関するポイント設定情報を入力する設定情報入力処理部と、
前記設定情報入力処理部により入力されたポイント設定情報に基づいて前記送信メッセージ情報又は前記受信メッセージ情報に対して送信又は受信毎に自動でポイントの値を設定する自動ポイント設定部と、
前記自動ポイント設定部が設定するポイントの値に代えて前記装置利用者により指示されたポイントの値を設定する手動ポイント設定部と、
前記自動ポイント設定部が設定したポイントの値又は前記手動ポイント設定部が設定したポイントの値を表示するポイント表示部とを備えた、メッセージ情報通信装置。
【請求項５】
前記自動ポイント設定部又は前記手動ポイント設定部が設定した前記送信メッセージ情報又は前記受信メッセージ情報のポイントの値を集計する集計部と、
前記送信メッセージ情報又は前記受信メッセージ情報から抽出される所定情報に基づいて前記集計部が集計したポイントの値を再計算する再計算処理部と、
前記集計部が集計したポイントの値及び前記再計算処理部が再計算したポイントの値を表示する集計ポイント表示部とを備えた、請求項４記載のメッセージ情報通信信装置。
【請求項６】
前記装置利用者が入力した条件に基づいて前記条件を満たす前記送信メッセージ情報若しくは前記受信メッセージ情報、又は、前記送信メッセージ情報若しくは前記受信メッセージ情報を通信した前記各装置利用者を特定する情報を検索する検索部と、
前記検索部が検索するための前記装置利用者が入力した条件の一つの情報であって前記送信メッセージ情報又は前記受信メッセージ情報に付加される付加情報を設定する付加情報設定部とを備えた、請求項４又は５記載のメッセージ情報通信装置。
【考案の詳細な説明】
【技術分野】
【０００１】
本考案は、メッセージ情報送受信装置、及び、メッセージ情報通信装置に関し、特に、装置利用者の送信メッセージ情報と装置利用者の受信メッセージ情報にポイントを設定して人間関係の強度を評価するメッセージ情報送受信装置等に関する。
【背景技術】
【０００２】
現在、電子メールやインスタントメッセンジャー等の普及により、情報通信ネットワークを介して電子情報のやり取りを行うことでコミュニケーションを図ることが一般的に行われている。電子情報でのやり取りの場合に、メッセージ情報を送受信した履歴情報が残るため、その履歴情報を利用して人と人との繋がりを管理することが可能となる。人と人との繋がりを管理する技術として特許文献１に示す技術がある。
【０００３】
特許文献１に示す技術は、解析部がやり取りされた電子メールの解析を行い、その結果を人物関係生成部及び人物属性生成部に供給する。人物関係生成部及び人物属性生成部は、それぞれ人物関係情報及び人物属性情報を生成し、それらの情報を基に人脈情報管理部が人脈情報を視覚的に表した人脈マップを生成し、出力装置により表示させる。
【０００４】
具体的に説明すると、電子メールを解析部がヘッダ情報、本文情報（本文情報と署名情報）に分割する。本文情報に記載されている人物名を抽出し、抽出した人物名に対応する電子メールアドレスをヘッダ情報から抽出し、人物名と電子メールアドレスを対応させた本文アドレス情報を生成する。ヘッダ情報及び本文アドレス情報は人物関係生成部及び人物属性生成部に供給され、人物関係情報及び人物属性情報が生成される。人物関係情報は、日時、発信者、宛先等の情報で構成され、人物属性情報は、日時、差出人アドレス、氏名、属性等の情報で構成される。人脈情報管理部は、人脈関係情報及び人脈属性情報を基に人脈情報を生成する。人脈情報は、日時、発信者、宛先、集計値、人脈強度値等から構成される。また、人脈情報管理部は人脈情報を視覚的に表した人脈マップの生成を行い、出力装置により表示される。
【０００５】
【特許文献１】特開２０００−６６９７０号公報
【考案の開示】
【考案が解決しようとする課題】
【０００６】
しかしながら、上記技術では、情報通信ネットワークにおいてやり取りされる電子メールを解析して、人脈マップを作成している。そのため、特定の事案ごとに装置利用者間の個別の関係を考慮した評価を行うものではなく、人脈情報として特定の事案に応じた使える情報であるかという点では、不十分であった。
【０００７】
ゆえに、本考案は、上記課題を解決すべく、装置利用者間でやり取りされたメッセージ情報に基づいて装置利用者間の個別の関係を考慮した人間関係の強度を評価することができるメッセージ情報送受信装置、及び、メッセージ情報通信装置を提供する。
【課題を解決するための手段】
【０００８】
請求項１に係る考案は、装置利用者の送信メッセージ情報を送信するメッセージ情報送信処理部と装置利用者の受信メッセージ情報を受信するメッセージ情報受信処理部とを備えるメッセージ情報送受信装置であって、前記メッセージ情報送信処理部が送信した前記送信メッセージ情報及び前記メッセージ情報受信処理部が受信した前記受信メッセージ情報のそれぞれに設定されるポイントに関するポイント設定情報を入力する設定情報入力処理部と、前記設定情報入力処理部により入力されたポイント設定情報に基づいて前記送信メッセージ情報及び前記受信メッセージ情報のそれぞれに対して送信及び受信毎に自動でポイントの値を設定する自動ポイント設定部と、前記自動ポイント設定部が設定するポイントの値に代えて前記装置利用者により指示されたポイントの値を設定する手動ポイント設定部と、前記自動ポイント設定部が設定したポイントの値又は前記手動ポイント設定部が設定したポイントの値を表示するポイント表示部とを備える。
【０００９】
請求項２に係る考案は、請求項１において、前記自動ポイント設定部又は前記手動ポイント設定部が設定した前記送信メッセージ情報及び前記受信メッセージ情報のそれぞれのポイントの値を集計する集計部と、前記送信メッセージ情報及び前記受信メッセージ情報のそれぞれから抽出される所定情報に基づいて前記集計部が集計したポイントの値を再計算する再計算処理部と、前記集計部が集計したポイントの値及び前記再計算処理部が再計算したポイントの値を表示する集計ポイント表示部とを備える。
【００１０】
請求項３に係る考案は、請求項１又は２において、前記装置利用者が入力した条件に基づいて前記条件を満たす前記送信メッセージ情報若しくは前記受信メッセージ情報、又は、前記送信メッセージ情報及び前記受信メッセージ情報を送受信した前記各装置利用者を特定する情報を検索する検索部と、前記検索部が検索するための前記装置利用者が入力した条件の一つの情報であって前記送信メッセージ情報及び前記受信メッセージ情報のそれぞれに付加される付加情報を設定する付加情報設定部とを備える。
【００１１】
請求項４に係る考案は、装置利用者の送信メッセージ情報を送信するメッセージ情報送信処理部又は装置利用者の受信メッセージ情報を受信するメッセージ情報受信処理部を備えるメッセージ情報通信装置であって、前記メッセージ情報送信処理部が送信した前記送信メッセージ情報又は前記メッセージ情報受信処理部が受信した前記受信メッセージ情報に設定されるポイントに関するポイント設定情報を入力する設定情報入力処理部と、前記設定情報入力処理部により入力されたポイント設定情報に基づいて前記送信メッセージ情報又は前記受信メッセージ情報に対して送信又は受信毎に自動でポイントの値を設定する自動ポイント設定部と、前記自動ポイント設定部が設定するポイントの値に代えて前記装置利用者により指示されたポイントの値を設定する手動ポイント設定部と、前記自動ポイント設定部が設定したポイントの値又は前記手動ポイント設定部が設定したポイントの値を表示するポイント表示部とを備える。
【００１２】
請求項５に係る考案は、請求項４において、前記自動ポイント設定部又は前記手動ポイント設定部が設定した前記送信メッセージ情報又は前記受信メッセージ情報のポイントの値を集計する集計部と、前記送信メッセージ情報又は前記受信メッセージ情報から抽出される所定情報に基づいて前記集計部が集計したポイントの値を再計算する再計算処理部と、前記集計部が集計したポイントの値及び前記再計算処理部が再計算したポイントの値を表示する集計ポイント表示部とを備える。
【００１３】
請求項６に係る考案は、請求項４又は５において、前記装置利用者が入力した条件に基づいて前記条件を満たす前記送信メッセージ情報若しくは前記受信メッセージ情報、又は、前記送信メッセージ情報若しくは前記受信メッセージ情報を通信した前記各装置利用者を特定する情報を検索する検索部と、前記検索部が検索するための前記装置利用者が入力した条件の一つの情報であって前記送信メッセージ情報又は前記受信メッセージ情報に付加される付加情報を設定する付加情報設定部とを備える。
【００１４】
なお、上記請求項２又は５において、再計算処理部を備えず、集計部のみを備えるものと捉えなおしてもよい。また、上記請求項３又は６において、付加情報設定部を備えないものとして捉えなおしてもよい。さらに、上記考案を、名称がアプリケーションプログラムという技術思想と捉えなおしてもよく、名称が上記アプリケーションプログラムを記録した記録媒体という技術思想と捉えなおしてもよい。
【考案の効果】
【００１５】
本考案によれば、特定の装置利用者と行ったメッセージ情報のやり取り（メッセージ情報の送受信）に基づいて、そのメッセージ情報に個々にポイントを設定するため特定の事案ごとに装置利用者間の個々の人間関係の強度を精度良く評価することができる。
【００１６】
また、メッセージ情報の内容によってメッセージ情報毎にポイントの再設定ができるため、さらに精度の良い評価を行うことが可能である。
【００１７】
さらに、メッセージ情報の送受信回数による重み付けやメッセージ情報に対して付加情報（例えば、営業活動に関する情報等）を設定できるため、特定の装置利用者との関係を正確に把握でき、対象としたい装置利用者（例えば、営業活動の対象としたい人物）の検索を効率よく行うことができる。
【考案を実施するための最良の形態】
【００１８】
以下に、図を用いて本考案の実施の形態を説明する。
【００１９】
図１は、本考案の実施の形態に係るメッセージ情報送受信装置の構成を示したブロック図である。
【００２０】
メッセージ情報送受信装置１０２ａ、メッセージ情報送受信装置１０２ｂ及びメッセージ情報送受信装置１０２ｃは、インターネット１００に接続されている。例えば、メッセージ情報送受信装置１０２ａの装置利用者（図では装置利用者１３０と示す。）から送信されたメッセージ情報はインターネット１００を介してメッセージ情報送受信装置１０２ｂの装置利用者により受信される。また、逆にメッセージ情報送受信装置１０２ｂの装置利用者から送信された電子メールはインターネット１００を介してメッセージ情報送受信装置１０２ａの装置利用者により受信される。このようにして、インターネット１００に接続されたそれぞれのメッセージ情報送受信装置１０２ａ，１０２ｂ，１０２ｃの装置利用者はメッセージ情報のやり取りを行うことができる。
【００２１】
メッセージ情報送受信装置１０２ａは、メッセージ情報送受信部１０４と集計処理部１０６と表示部１０８と設定情報入力処理部１１０と送信済メッセージ情報データ部１１２と設定情報データ部１１４と受信済メッセージ情報データ部１１６と検索結果・アドレス帳データ部１１８とを備える。メッセージ情報送受信部１０４は、メッセージ情報送信部１２０と設定部１２２とメッセージ情報受信部１２４とを備える。設定部１２２による設定処理が行われる際は、装置利用者１３０の判断を基に行われる。
【００２２】
図２は、図１におけるメッセージ情報送受信部１０４の内部構成を詳細に示したブロック図である。
【００２３】
メッセージ情報送受信部１０４は、メッセージ情報送信部２１０（図１ではメッセージ情報送信部１２０に相当する。）と設定部２２０（図１では設定部１２２に相当する。）とメッセージ情報受信部２３０（図１ではメッセージ情報受信部１２４に相当する。）とポイント表示部２４０とを備える。メッセージ情報送信部２１０は、メッセージ情報送信処理部２１０ａと送信メッセージ自動ポイント設定部２１０ｂと送信メッセージ付加情報設定部２１０ｃとを備える。設定部２２０は、送信メッセージポイント手動設定部２２０ａと受信メッセージポイント手動設定部２２０ｂと送信メッセージ付加情報設定部２２０ｃと受信メッセージ付加情報手動設定部２２０ｄと送受信済メッセージポイント手動設定部２２０ｅと送受信済メッセージ付加情報手動設定部２２０ｆとを備える。メッセージ情報受信部２３０は、メッセージ情報受信処理部２３０ａと受信メッセージ自動ポイント設定部２３０ｂと受信メッセージ付加情報設定部２３０ｃとを備える。
【００２４】
図２の構成の動作を簡単に説明する。まず、メッセージ情報送受信装置の利用者によりメッセージ情報が作成される。メッセージ情報送信部２１０の送信メッセージ自動ポイント設定部２１０ｂは、この作成されたメッセージ情報に対して、自動で設定される送信メッセージ情報自動初期ポイントを設定する。ここで、設定される自動初期ポイントの値は、図１における設定情報入力処理部１１０によって装置利用者が予め設定したものである。また、初期ポイントが自動設定される際に、必要に応じて送信メッセージ付加情報設定部２１０ｃにより、付加情報が設定される。なお、利用者が既に設定された送信メッセージ情報自動初期ポイントの値を変更したい場合は、設定部２２０の送信メッセージポイント手動設定部２２０ａにより送信メッセージ情報に設定されたポイントが再設定される。同様に、一旦設定された付加情報も送信メッセージ付加情報手動設定部２２０ｃにより再設定されることが可能である。そして、ポイント又はポイント及び付加情報が設定されたメッセージ情報はメッセージ情報送信部２１０のメッセージ情報送信処理部２１０ａにより送信処理が行われ、インターネット１００を介して宛先として指定された装置利用者のメッセージ情報送受信装置に受信される。
【００２５】
次に、メッセージ情報送受信装置の利用者が受信した場合は、メッセージ情報受信部２３０のメッセージ情報受信処理部２３０ａが装置利用者宛に送信されたメッセージ情報を受信する。受信したメッセージ情報には、受信メッセージ自動ポイント設定部２３０ｂにより、自動で設定される受信メッセージ情報自動初期ポイントが設定される。ここで、設定される自動初期ポイントの値は、図１における設定情報入力処理部１１０で装置利用者が予め設定したものである。また、初期ポイントが自動設定される際に、必要に応じて受信メッセージ付加情報設定部２３０ｃにより付加情報が設定される。なお、利用者が既に設定された受信メッセージ情報自動初期ポイントの値を変更したい場合は、設定部２２０の受信メッセージポイント手動設定部２２０ｂにより受信メッセージ情報に設定されたポイントが再設定される。同様に、一旦設定された付加情報も受信メッセージ付加情報手動設定部２２０ｄにより再設定されることが可能である。
【００２６】
なお、設定部２２０の送受信済メッセージポイント手動設定部２２０ｅによる送受信済メッセージ情報に設定されたポイントの再設定、送受信済メッセージ付加情報手動設定部２２０ｆによる送受信済メッセージ情報に設定された付加情報の再設定等を行うことも可能である。また、図１の集計処理部１０６及び表示部１０８により装置利用者を特定する情報またはメッセージ情報の検索及び並び替え等を行うこともできる。さらに、設定情報入力処理部１１０により、送信及び受信メッセージ情報自動初期ポイントの変更並びに付加情報の項目名を変更することもできる。
【００２７】
ここで、以下、上記構成と動作説明を踏まえ、後に詳しく記載する実施の形態において示すが、本考案におけるポイントについて簡単にまとめておく。
【００２８】
人間関係の強度を評価するために送受信メッセージ情報毎にポイントが設定され、その集計値で人間関係の強度が評価される。ポイントを設定する方法は、原則として、送信メッセージ情報にマイナスポイント（例えば−１）を設定し、その送信した送信メッセージ情報に対する受信メッセージ情報にはプラスポイント（例えば＋１）を設定する。そして、ある時点でのポイントの集計を見ることで、その時点での装置利用者間の人間関係の強度を評価することが可能となる。
【００２９】
しかし、例えばポイントがマイナスであっても、メッセージ情報のやり取りを膨大に行った結果、たまたまマイナスの結果となっている相手については人間関係が弱いとは言い難い。そこで、本考案の実施の形態においては、メッセージ情報のやり取りの件数を「親しさ」として、ポイントと同時に設定することで、より正確に人間関係の強度を評価できるようにしている。
【００３０】
また、メッセージ情報の内容によってはクレーム等もあるため、必ずしも送信時にマイナスのポイントを設定し受信時にプラスのポイントを設定することが適切とは限らない。そこで、本考案の実施の形態においては、メッセージ情報の送受信時または送受信後に装置利用者がメッセージ情報の内容からポイントを手動で設定することができる機能を有することも可能にしている。
【００３１】
さらに、メッセージ情報の本文とは別にメッセージ情報毎に複数のキーワードを付加情報として設定することができることにより、その付加情報（例えば、セキュリティ技術）についてメッセージ情報のやり取りをした人で人間関係が強い人（例えば、ポイント５以上、親しさ１０以上の人）を特定する情報等を検索できるようになり、営業活動等に活用することが可能となる。
【００３２】
次に、本考案の実施の形態に係るメッセージ情報送受信装置の処理を図３〜図１７のフロー図を用いてより具体的に説明する。
【００３３】
図３は、メッセージ情報を送信する場合の処理フロー図である。
【００３４】
まず、ステップＳＴ３０２でメッセージ情報送信画面が起動される。ここで、図４は、図３におけるステップＳＴ３０２のメッセージ情報送信画面を示した図である。次に、ステップＳＴ３０４で送信メッセージ情報に対して、図２におけるメッセージ情報送信部２１０の送信メッセージ自動ポイント設定部２１０ｂにより、予め設定された送信時の送信メッセージ情報自動初期ポイントが設定され、画面上に表示される。次に、ステップＳＴ３０６で、既に設定された送信メッセージ情報自動初期ポイントを変更するか否かが判定される。変更する場合はステップＳＴ３０８で、図２における設定部２２０の送信メッセージポイント手動設定部２２０ａにより送信ポイントが変更される。変更しない場合は、そのまま次のステップＳＴ３１０に進む。
【００３５】
ここで、図４を用いて具体的に説明すると、アドレス設定欄４０６の宛先（Ｔｏ）、カーボンコピー（Ｃｃ）、及び、ブラインドカーボンコピー（Ｂｃｃ）の右横には送信メッセージポイント設定欄４０２が設けられている。そこでＴｏ、Ｃｃ、Ｂｃｃ毎に送信メッセージ情報自動初期ポイントの表示や送信ポイントの変更を行うことができる。なお、この装置利用者による予め設定された送信時の送信メッセージ自動初期ポイントの変更処理の詳細については後で図１３を参照してさらに説明する。
【００３６】
図３に戻って、ステップＳＴ３１０では、送信メッセージ情報に対して付加情報を設定するか否かが判定される。設定する場合はステップＳＴ３１２で、図２におけるメッセージ情報送信部２１０の送信メッセージ付加情報設定部２１０ｃにより、送信メッセージ情報に対して付加情報が設定される。次に、ステップＳＴ３１４では、設定された付加情報を変更するか否かが判定される。変更する場合はステップＳＴ３１６で、図２における変更部２２０の送信メッセージ付加情報手動設定部２２０ｃにより付加情報が変更される。そして、ステップＳＴ３１８でメッセージ情報の送信が行われて処理を終了する。
【００３７】
ここで、図４を用いて具体的に説明すると、ブラインドカーボンコピー（Ｂｃｃ）の下に送信メッセージ付加情報設定欄４０４が設けられており、ここで付加情報設定ボタン４０５を押下すると、図５の付加情報追加画面が起動される。この付加情報追加画面では、「案件名」、「業種」、「業態」、「製品種別」、「プライベート」、「その他」の項目を入力することができる。それぞれの項目の中で必要なものを入力しＯＫボタンを押下すると図５の付加情報追加画面は閉じられ、図４の付加情報設定ボタン４０５の右横に設定された付加情報が表示される。一旦設定された付加情報を変更する場合も、同様に、図５の付加情報追加画面を起動して変更処理を行う。
【００３８】
なお、図５における上記項目名（「案件名」、「業種」、「業態」、「製品種別」、「プライベート」、「その他」）は装置利用者により変更可能であるが、この変更処理についての詳細は後で図１３を参照してさらに説明する。
【００３９】
ところで、図４には、送信先アドレス設定欄４０６にはＴｏボタン、Ｃｃボタン、及び、Ｂｃｃボタンが設けられている。これらのボタンを押下すると、図６の送信先アドレス編集画面が起動される。ここでは、画面上部のアドレス一覧６０２に表示されたアドレスの一覧の中から、Ｔｏ、Ｃｃ、及び、Ｂｃｃに設定するアドレスを選択して設定する。また、手動ボタンを押下すると、図７のアドレス帳以外から追加画面が起動され、そこでアドレスを手動で入力して設定してもよい。設定されたアドレスは画面下部のアドレス選択部６０４に表示され、ＯＫボタンを押下すると送信先アドレス編集画面は閉じられ、図４の送信先アドレス設定欄４０６に表示される。
【００４０】
上記では、「ポイント」に関して説明したが、図６に示したアドレスの編集画面による編集の状況をもとに、例えばアドレスからメッセージ情報のやり取りの件数を「親しさ」として捉えることができる。そのため、図１２を用いて具体的には後述するが、図１における送信済メッセージ情報データ部１１２のデータ及び受信済メッセージ情報データ部１１６のデータを基に、集計処理部１０６が、現時点でのポイント及び親しさを集計し、表示部１０８により集計結果が画面上の「ポイント」及び「親しさ」に表示されることも可能となる。これにより、これから送信する相手との人間関係が強い相手か否かを判断することが可能となる。また、人間関係が強い人全員にメッセージ情報を送信したい場合等に、この画面から宛先を入力することで簡単にメッセージ情報を送信することが可能となる。
【００４１】
図８は、メッセージ情報を受信する場合の処理フロー図である。
【００４２】
まず、ステップＳＴ７０２でメッセージ情報を受信すると、次のステップＳＴ７０４で受信メッセージ情報に対して、予め設定された受信メッセージ情報自動初期ポイントが設定される。この自動初期ポイントの値は、図２におけるメッセージ情報受信部２３０の受信メッセージ自動ポイント設定部２３０ｂにより予め設定されたものである。次に、ステップＳＴ７０６で、既に設定された受信メッセージ情報自動初期ポイントを変更するか否かが判定される。変更する場合はステップＳＴ７０８で、図２における設定部２２０の受信メッセージポイント手動設定部２２０ｂにより受信ポイントが変更される。変更しない場合は、そのまま次のステップＳＴ７１０に進む。
【００４３】
ここで、図９は、メッセージ情報受信時の画面を示した図である。メッセージ情報表示欄８０２の右端にポイント設定欄８０４が設けられている。ポイント設定欄８０４では、受信メッセージ情報自動初期ポイントの表示や受信ポイントの変更を行うことができる。装置利用者が予め設定された受信時の受信メッセージ情報自動初期ポイントを変更可能する場合の処理の詳細については、後で図１３を参照してさらに説明する。
【００４４】
図８に戻って、ステップＳＴ７１０では、受信メッセージ情報に対して付加情報を設定するか否かが判定される。設定しない場合はそのまま処理を終了する。設定する場合はステップＳＴ７１２で、図２におけるメッセージ情報受信部２３０の受信メッセージ付加情報設定部２３０ｃにより、受信メッセージ情報に対して付加情報が設定される。次に、ステップＳＴ７１４では、設定された付加情報を変更するか否かが判定される。変更する場合はステップＳＴ７１６で、図２における変更部２２０の受信メッセージ付加情報手動設定部２２０ｄにより付加情報が変更され、処理を終了する。
【００４５】
ここで、図９のメッセージ情報受信時の画面には、付加情報設定欄８０６も設けられている。装置利用者が受信メッセージ情報に対する付加情報を設定したい場合は、付加情報設定欄８０６の付加情報設定ボタン８０８を押下することで、メッセージ情報送信時と同様に図５の付加情報追加画面が起動され、必要に応じて付加情報を設定することができる。また、すでに設定した付加情報を変更する場合も、同様に、図５の付加情報追加画面を起動して変更を行う。
【００４６】
図１０は、送受信済のメッセージ情報に対して設定されたポイント及び付加情報の変更を行う場合の処理フロー図である。
【００４７】
まず、ステップＳＴ９０２で送受信メッセージ情報画面を起動する。次に、ステップＳＴ９０４でポイントを変更するか否かが判定される。変更する場合はステップＳＴ９０６で、図２における設定部２２０の送受信済メッセージポイント手動設定部２２０ｅにより、ポイントの変更が行われる。次に、ステップＳＴ９０８で付加情報の変更を行うか否かが判定される。変更する場合は、ステップＳＴ９１０で、図２における設定部２２０の送受信済メッセージ付加情報手動設定部２２０ｆにより付加情報が変更され、処理を終了する。
【００４８】
送受信済メッセージ情報画面は図９に示す画面と同様であり、変更を行いたい受信済メッセージ情報または送信済メッセージ情報が選択され、受信時のポイント及び付加情報の変更の場合と同様の操作が行われることで変更処理が行われる。
【００４９】
図１１は、検索処理を行う場合の処理フロー図である。
【００５０】
まず、ステップＳＴ１００２で検索画面を起動する。次に、ステップＳＴ１００４で検索条件を入力し、ステップＳＴ１００６で入力した検索条件を満たす人を特定する情報または送受信済メッセージ情報の検索を行う。そして、ステップＳＴ１００８で検索した結果を一覧表示して処理を終了する。
【００５１】
ここで、図１２は、図１１におけるステップＳＴ１００２の検索画面である。この画面を起動すると装置利用者は検索条件入力欄１１０２にある「探す場所」、「本文」、「Ｓｕｂｊｅｃｔ（件名）」、「Ｆｒｏｍ（差出人）」、「Ｔｏ（宛先）」、「より前（日付）」、「以降（日付）」、「ポイント」、「親しさ」、「付加情報」を必要に応じて入力し、検索ボタン１１０４を押下する。検索条件に何も入力がなければ全件検索となる。この時、親しさに検索条件が入力された場合はメッセージを人で集約するチェックボックスが連動して自動的にチェックされる。そして、検索された結果は画面下部の検索結果一覧表示部１１０６に表示される。表示された結果の並び替えを行いたい場合は、検索結果一覧表示部１１０６のタイトル部をクリックすることで、そのタイトルの項目毎に昇順に並び替えが可能である。また、もう一度クリックすることで降順に並び替えも可能である。
【００５２】
なお、図１２において、付加情報の検索条件は入力するようになっているが、リストを表示して選択できるようにしてもよい。
【００５３】
図１３は、設定情報の編集を行う場合の処理フロー図である。
【００５４】
ここで、設定情報とは、付加情報の項目名並びにメッセージ情報送信時に自動で設定される送信メッセージ情報自動初期ポイント及びメッセージ情報受信時に自動で設定される受信メッセージ情報自動初期ポイントのことであり、これらの情報は設定情報マスタに登録されている。
【００５５】
図１３に示す処理は、図１における設定情報入力処理部１１０により行われる。まず、ステップＳＴ１２０２で設定情報編集画面を起動する。次に、ステップＳＴ１２０４で、メッセージ情報の送信時及び受信時に自動で設定されるメッセージ情報自動初期ポイントを変更するか否かが判定される。変更する場合はステップＳＴ１２０６で自動設定ポイント数変更処理が行われる。次に、ステップＳＴ１２０８で付加情報の項目名を変更するか否かが判定される。変更する場合はステップＳＴ１２１０で付加情報の項目名が編集される。そして、ステップＳＴ１２１２で、設定情報マスタが更新され変更内容が反映されて処理を終了する。
【００５６】
図１４は、ステップＳＴ１２０２で起動する設定情報編集画面を示す図である。メッセージ情報の送信時及び受信時に自動で設定されるメッセージ情報自動初期ポイントを変更したい場合は、自動付加編集欄１３０２に変更したい値を入力する。また、付加情報の項目名を変更したい場合も同様に、付加情報項目名編集欄１３０４に変更したい項目名を入力する。そして、ＯＫボタンを押下すると、設定情報マスタが画面に入力された内容で更新される。
【００５７】
図１５は、アドレス帳の表示、編集をする場合の処理フロー図である。
【００５８】
まず、ステップＳＴ１４０２でアドレス帳画面を起動する。次に、ステップＳＴ１４０４で、図１における集計処理部１０６が、送受信済メッセージ情報の件数から親しさを集計し、ステップＳＴ１４０６でも同様に集計処理部１０６により送受信済のメッセージ情報を基にポイントが集計される。そして、集計結果が図１における表示部１０８により画面上に表示される。次に、ステップＳＴ１４０８でアドレス情報を変更するか否かが判定され、変更する場合はステップＳＴ１４１０のアドレス情報変更処理が行われ、処理を終了する。
【００５９】
ここで、図１６は、ステップＳＴ１４０２で起動するアドレス帳画面である。画面起動時にアドレス帳に登録されている人物毎にポイントと親しさを集計しリストとして表示する。アドレス帳の内容を変更する場合は、リストの中から変更したいデータを選択して追加、編集及び削除ボタンを押下して図１７のアドレス帳編集画面を起動する。アドレス帳編集画面では、編集したい項目を編集してＯＫボタンを押下すると、画面が閉じられ、アドレスデータが更新される。
【００６０】
なお、上記実施の形態では、メッセージ情報のやり取りとして、電子メールによるやり取りを示したが、インスタントメッセンジャーによるやり取り等、メッセージ情報のやり取りであれば何でもよい。
【００６１】
また、メッセージ情報送受信装置として、パソコン、携帯電話等の電子情報をやり取りできるものであれば何でもよい。
【００６２】
さらに、ポイントの集計方法として、返信までの期間を考慮した集計方法にしてもよい。例えば、メッセージ情報を送信して、そのメッセージ情報に対して返信があるまでの期間がある一定期間以上であれば、自動的にそのメッセージ情報のポイントから所定の値を減算するようにしてもよい。
【００６３】
さらに、親しさの集計方法としても期間を考慮した集計方法にしてもよい。例えばある特定の時期以前はメッセージ情報のやり取りを頻繁に行っていたが、それ以降やり取りが行われていない場合等は、自動的にその人物の親しさから所定の値を減算するようにしてもよい。
【００６４】
さらに、親しさを所定の規則に従ってポイントに換算し、メッセージ情報に設定されたポイントと合算をすることでポイントの値から人間関係の強度を総合評価できるようにしてもよい。
【図面の簡単な説明】
【００６５】
【図１】本考案の実施の形態に係るメッセージ情報送受信装置の構成を示したブロック図である。
【図２】図１におけるメッセージ情報送受信部１０４の内部構成を詳細に示したブロック図である。
【図３】メッセージ情報を送信する場合の処理フロー図である。
【図４】図３におけるステップＳＴ３０２のメッセージ情報送信画面を示した図である。
【図５】付加情報追加画面を示した図である。
【図６】送信先アドレス編集画面を示した図である。
【図７】アドレス帳以外から追加画面を示した図である。
【図８】メッセージ情報を受信する場合の処理フロー図である。
【図９】メッセージ情報受信時の画面を示した図である。
【図１０】送受信済のメッセージ情報に対して設定されたポイント及び付加情報の変更を行う場合の処理フロー図である。
【図１１】検索処理を行う場合の処理フロー図である。
【図１２】図１１におけるステップＳＴ１００２の検索画面を示した図である。
【図１３】設定情報の編集を行う場合の処理フロー図である。
【図１４】設定情報編集画面を示した図である。
【図１５】アドレス帳の表示、編集をする場合の処理フロー図である。
【図１６】アドレス帳画面を示した図である。
【図１７】アドレス帳編集画面を示した図である。
【符号の説明】
【００６６】
１０２ａ  メッセージ情報送受信装置
１１０    設定情報入力処理部
１２０    メッセージ情報送信部
１２４    メッセージ情報受信部
１３０    装置利用者
【図１】
0003122075.tif 000003
【図２】
0003122075.tif 000004
【図３】
0003122075.tif 000005
【図８】
0003122075.tif 000006
【図１０】
0003122075.tif 000007
【図１１】
0003122075.tif 000008
【図１３】
0003122075.tif 000009
【図１５】
0003122075.tif 000010
【図４】
0003122075.tif 000011
【図５】
0003122075.tif 000012
【図６】
0003122075.tif 000013
【図７】
0003122075.tif 000014
【図９】
0003122075.tif 000015
【図１２】
0003122075.tif 000016
【図１４】
0003122075.tif 000017
【図１６】
0003122075.tif 000018
【図１７】
0003122075.tif 000019